(57)【要約】      （修正有）【課題】パッティング演習ゴルフボールがマットから離脱することを防止し、マットが、マットをロール形状に巻き取って保管するボックスと一体化した携帯用ゴルフパッティング演習マットを提供する。【解決手段】ボックス２０内にロール状に巻き取って保管し、使用時には、ボックス２０からロールを解いて使用する携帯用ゴルフパッティング演習マットである。使用の際、ゴルフボールＢがマット３０の外に離脱することを防止するために、マットの長手方向両側辺部には、折畳式柔軟性ガイド壁４０、５０が形成されている。マットがボックス内に保管されるとき、ガイド壁４０、５０はマット３０の左右側辺からそれぞれ外側に広がることでマットと同一面を成した状態で巻き取られ、使用時には、ボックスから解けた状態でマットの長手方向両側辺部の上面上に折り畳まれて立てられることにより、ゴルフボールがマットの外に離脱することを防止する。【選択図】図１
2008200495.tif 000002
【特許請求の範囲】
【請求項１】
左右面、上下面及び前後面を有するおよそ六面体形状のボックスと；
前記ボックスの内部に収納され、両端がそれぞれボックスの左右面に回動可能に支持される回転棒と；
前記回転棒の一端から延びてボックスの外部に突出する回転棒回転用取っ手と；
一端が前記回転棒に固定され、他端がボックスの前面に形成された開口を通じて引き出される自由端であるマットと；
前記マットの長手方向両側辺部にそれぞれ折畳式で付着される柔軟性ガイド壁と；を含んでなることを特徴とする、携帯用パッティング演習マット。
【請求項２】
前記折畳式ガイド壁は、マットが前記回転棒に巻き付けられてボックス内にロール状で保管されるとき、マットの両側辺の外方に広がれてマットと同一面を成した状態でマットとともに一体的に巻き付けられ、マットが前記回転棒から解けてボックスの外部に引き出された後、マットの両側辺の内側にそれぞれ折り畳まれてマットの上面から突出するように立てられることにより、パッティング演習中のゴルフボールがマットの外部に離脱することを防止する壁部として機能することを特徴とする、請求項１に記載の携帯用パッティング演習マット。
【請求項３】
前記折畳式ガイド壁は、その折畳段数が２段以上であることを特徴とする、請求項１に記載の携帯用パッティング演習マットマット。
【請求項４】
折畳式ガイド壁は、マットの長手方向に沿って所定間隔を置いて分離されることを特徴とする、請求項１に記載の携帯用パッティング演習マット。
【請求項５】
ボックスの後面がボックスの上面より高く延びることにより、前記ボックスが背もたれを備えた椅子を成すことを特徴とする、請求項１に記載の携帯用パッティング演習マット。
【請求項６】
ボックスの上面に弾性クッション部材が付着されることにより、前記ボックスがソファーを成すことを特徴とする、請求項１に記載の携帯用パッティング演習マット。
【発明の詳細な説明】
【技術分野】
【０００１】
本発明は携帯用ゴルフパッティング演習マットに係り、特にパッティング演習ゴルフボールがマットから離脱することを防止することができ、マットが、マットをロール形状に巻き取って保管するボックスと一体化した携帯用ゴルフパッティング演習マットに関するものである。
【背景技術】
【０００２】
従来、携帯用ゴルフパッティング演習マットのうち、マットをロール状に巻き取り、ビニルまたは織物のような袋またはボックス型ケースに保管するタイプのものが知られているが、このようなタイプのものは、大部分がマットの長い平板状のもので、パッティング演習の際に、ボールがマットの外に転がって出る不便さがあった。もちろん、固定式パッティング演習マットにおいては、ゴルフボールがマットから離脱することを防止するために、マットの長手方向に両側辺部に突出壁部が形成されているが、このような固定式パッティング演習マットは、巻き取って保管することができなかった。
【発明の開示】
【発明が解決しようとする課題】
【０００３】
したがって、本発明の目的は、ゴルフボールがマットから離脱することを防止することができる固定式ゴルフパッティング演習マットの利点はいかすとともに、巻き取って保管することができない欠点は補完した携帯用ゴルフパッティング演習マットであって、マットの長手方向両側辺部に、ボールの離脱を防止するガイド壁を備え、マットと柔軟性ガイド壁をともにロール状に巻き取って保管することができる携帯用ゴルフパッティング演習マットを提供することである。
【０００４】
本発明の他の目的は、マットの収納空間であるボックスを家具化したゴルフパッティング練習用マットであって、内部にマットをロール状に巻き取って保管するボックスを椅子またはソファーなどに活用することができる携帯用ゴルフパッティング演習マットを提供することである。
【０００５】
本発明のさらに他の目的は、ロングパッティング練習とショットパッティング練習を可変して行える携帯用ゴルフパッティング演習マットを提供することである。
【課題を解決するための手段】
【０００６】
前記のような目的を達成するために、本発明は、左右面、上下面及び前後面を有するおよそ六面体形状のボックスと；前記ボックスの内部に収納され、両端がそれぞれボックスの左右面に回動可能に支持される回転棒と；前記回転棒の一端から延びてボックスの外部に突出する回転棒回転用取っ手と；一端が前記回転棒に固定され、他端がボックスの前面に形成された開口を通じて引き出される自由端であるマットと；前記マットの長手方向両側辺部にそれぞれ折畳式で付着される柔軟性ガイド壁と；を含んでなることを特徴とする、携帯用パッティング演習マットを提供する。
【０００７】
前記折畳式ガイド壁は、マットが前記回転棒に巻き付けられてボックス内にロール状で保管されるとき、マットの両側辺の外方に広がれてマットと同一面を成した状態でマットとともに一体的に巻き付けられ、マットが前記回転棒から解けてボックスの外部に引き出された後、マットの両側辺の内側にそれぞれ折り畳まれてマットの上面から突出するように立てられることにより、パッティング演習中のゴルフボールがマットの外部に離脱することを防止する壁部として機能することができる。
【０００８】
前記折畳式ガイド壁は、その折畳段数が２段以上であることができる。
【０００９】
折畳式ガイド壁は、マットの長手方向に沿って所定間隔を置いて分離されることができる。
【００１０】
ボックスの後面がボックスの上面より高く延びることにより、前記ボックスが背もたれを備えた椅子を成すことができる。
【００１１】
ボックスの上面に弾性クッション部材が付着されることにより、前記ボックスがソファーを成すことができる。
【発明の効果】
【００１２】
以上のように、本発明による携帯用パッティング演習マットは、ゴルフパッティング演習の際、ゴルフボールがマットから離脱することを防止し、マットを巻き取って保管することができる携帯用のものであり、ロングパッティング練習及びショットパッティング練習を可変的に行えるとともに、マットの保管時、マットを収納して保管するボックスが椅子などの家具として使用可能な効果がある。
【発明を実施するための最良の形態】
【００１３】
本発明による携帯用ゴルフパッティング演習マットの他の特徴及び利点は、添付図面に基づいて説明する以下の記述から明らかに理解できる。
【００１４】
本発明の一実施例による携帯用ゴルフパッティング演習マットは、図１〜図２に示すように、左右面２、４、上下面６、８及び前後面１０、１２を有するほぼ六面体状のボックス２０と；前記ボックスの内部に収容され、両端がそれぞれボックスの左右面２、４に回動可能に支持される回転棒２２と；前記回転棒の一端から延びてボックスの外部に突出する回転棒回転用取っ手２４と；一端が前記回転棒に固定されてその回転棒に巻き付けられ、他端がボックスの前面１０に形成された開口１１を通じてボックスの外部に引き出される自由端である柔軟性マット３０と；前記マットの長手方向両側辺部にそれぞれ折畳式で付着される柔軟性ガイド壁４０、５０とを含んでなる。
【００１５】
本発明による携帯用パッティング演習マットは、使用者がマットを保管しようとする場合、取っ手２４を回転して、マット３０をボックス２０内の回転棒２２に巻き付けて保管し、マットを使用しようとする場合は、マットを、その自由端に形成された掴み孔３２を掴んでボックス２０から引き出した後、そのマットの長手方向両側辺部に折畳可能に連結されたガイド壁４０、５０をマットの内側に折り畳んで立てることにより、断面コ形のチャンネル型パッティング演習マットが形成される。この際、マットの長手方向両側辺部に立てられたガイド壁４０、５０は、パッティング演習用ゴルフボールがマット３０の外部に離脱することを防止する離脱防止壁の機能をする。このために、マットの上面から突出するガイド壁４０、５０の高さ（Ｈ）は、ゴルフボールＢの半径（ｒ）以上のものが好ましい。
【００１６】
図３は、マットを収納して保管するボックスを除いたロール状のマットを示す図、図４（ａ）及び図４（ｂ）は、マットを引き出して使用するに際して、マットの長手方向両側辺部に折畳可能に連結されたガイド壁４０、５０をマットの内側方向に折ってからさらに外方に折り畳む方式の２段折畳を行うことで、高さ（Ｈ）のゴルフボール離脱防止用壁が立てられるものを示す図である。図４（ｂ）に部分拡大図として示すように、複数段に折り畳まれるガイド壁の折畳連結部４４は柔軟性に優れた織物などからなる。
【００１７】
図５は、本発明による携帯用パッティング演習マットの構成をより詳細に説明するために、マット、及びマットの一側辺部に折畳式で付着される２段ガイド壁４０ａ、４０ｂの折畳状態を示す図である。
【００１８】
図５（ａ）は、マット３０を保管するために、回転棒２２（図１及び図２）に巻き付けられるとき、あるいは回転棒２２に巻き付けられたマットが使用のためにボックスから引き出された初期状態を示す断面図であり、ガイド壁４０ａ、４０ｂはマットの外方に広がってマットと同じ平面を成すことが分かる。
【００１９】
図５（ｂ）は、マットをパッティング演習に使用しようとするとき、マット３０の端部に折畳式で連結された２段ガイド壁４０ａ、４０ｂを図５(ａ)の最内側の第１折畳線４１に沿って内側に（矢印Ａ１の方向に）折った状態を示す断面図、図５（ｃ）は内側のガイド壁４０ａを図５(ｂ)の第２折畳線４２に沿って外側に（矢印Ａ２の方向に）折った状態を示す図、図５（ｃ）は、ガイド壁４０ａ、４０ｂをともに折畳式で最も高く立てることで、本発明による携帯用パッティング演習マットを使用状態にセットした状態を示す図である。本実施例においては、前記ガイド壁４０ａ、４０ｂが２段の場合を示しているが、その段数が本発明の技術思想を限定するものではなく、マット及びガイド壁の厚さ、材質などによって単段、あるいは３段以上でもあり得る。
【００２０】
図６は、前記ガイド壁がマットの長手方向に沿って所定の間隔（Ｌ）で分離されたものを示す斜視図である。図６から分かるように、ガイド壁４０、５０がマットの長手方向に沿って所定の間隔（Ｌ）で分離された理由は、マットがボックスから引き出される長さが変わっても、その引き出された長さの分においてだけ、ガイド壁が折り畳まれて立てられるようにするためである。このような構成により、本発明による携帯用パッティング演習マットは、ロングパッティング演習だけでなく、ショットパッティング練習の場合にも、そのマットの引出長のみにわたってガイド壁４０、５０が立てられることができる。
【００２１】
図７（ａ）、図７（ｂ）及び図７（ｃ）は、本発明による携帯用パッティング演習マットが回転取っ手の回転によってボックス内にすべて巻き付けられて保管される場合、ボックス２０が汎用箱６０、補助椅子７０、ソファー８０のような家具として使用可能な概念を示す図である。
【産業上の利用可能性】
【００２２】
本発明は、ゴルフボールがマットから離脱することを防止する固定式ゴルフパッティング演習マットの利点はいかすとともに、巻き取って保管することができない欠点は補完した携帯用ゴルフパッティング演習マットに適用可能である。
【図面の簡単な説明】
【００２３】
【図１】本発明の一実施例による携帯用パッティング演習マットの全体構成を示す斜視図である。
【図２】本発明の一実施例による携帯用パッティング演習マットのボックス内部にマットの一端が固定されて巻き付けられるものを示す部分分解斜視図である。
【図３】本発明の一実施例による携帯用パッティング演習マットがロール状に巻き付けられることを示す斜視図である。
【図４】本発明の一実施例による携帯用パッティング演習マットの一側辺部にガイド壁が折り畳まれるものを示す部分拡大斜視図である。
【図５】本発明の一実施例による携帯用パッティング演習マットの一側辺部にガイド壁が折り畳まれるものを示す部分断面図である。
【図６】本発明の一実施例による携帯用パッティング演習マットにおいて、マットに折畳式で付着されたガイド壁がマットの長手方向に沿って所定の間隔を置いて分離されているものを示す斜視図である。
【図７】（ａ）〜（ｃ）本発明の他の実施例による携帯用パッティング演習マットを示すもので、マットが回転取っ手の回転によってボックス内にすべて巻き取られて保管される場合、ボックスを汎用箱、補助椅子、上面にクッションが付着されたソファーなどの家具として使用することができる概念を示す図である。
【符号の説明】
【００２４】
２、４    左右面
６、８    上下面
１０、１２    前後面
２０    ボックス
２２    回転棒
２４    取っ手
３０    柔軟性マット
４０、５０    ガイド壁
【図１】
2008200495.tif 000003
【図２】
2008200495.tif 000004
【図３】
2008200495.tif 000005
【図４】
2008200495.tif 000006
【図５】
2008200495.tif 000007
【図６】
2008200495.tif 000008
【図７】
2008200495.tif 000009